(57)【要約】【課題】ベランダ床面の排水勾配や施工誤差に拘わらず、すべての間仕切り箇所でベランダ床面との空間を簡易な手間で隙間無く封鎖することができるベランダ用間仕切りを提供する。【解決手段】ベランダ用間仕切り１の下部横材５に対してベランダ床面との空間を封鎖するための下側空間封鎖装置Ｆが設けられ、該下側空間封鎖装置Ｆは、前記下部横材５の下面に、下側に開口を向けたコ字状断面の外枠部材８が固設されるとともに、この外枠部材８の内部に、下面に部材長手方向に亘ってシール材１０が配設された内枠部材９が上下方向に移動可能かつ傾動可能な状態で収容された構造を成し、前記内枠部材９が前記シール材１０をベランダ床面に対し接触させた状態に位置決めされ固定されている。【選択図】図３
2019190059.tif 000002
【特許請求の範囲】
【請求項１】
集合住宅の同一階を複数戸に跨って連続的に設けられるベランダを各戸毎に仕切るためのベランダ用間仕切りにおいて、
前記ベランダ用間仕切りは、両側部の縦材と上部横材・下部横材とによって四周が枠組みされた枠組内部にパネルが嵌め込まれた構造を成し、手摺り側と住居側壁面とで夫々支持されることにより取り付けられるとともに、前記下部横材に対してベランダ床面との空間を封鎖するための下側空間封鎖装置が設けられ、
前記下側空間封鎖装置は、前記下部横材の下面に、下側に開口を向けたコ字状断面の外枠部材が固設されるとともに、この外枠部材の内部に、下面に部材長手方向に亘ってシール材が配設された内枠部材が上下方向に移動可能かつ傾動可能な状態で収容された構造を成し、前記内枠部材が前記シール材をベランダ床面に対し接触させた状態に位置決めされ固定されていることを特徴とするベランダ用間仕切り。
【請求項２】
前記シール材は、背面側に内枠部材への嵌入取付け部を有し、表面側に中心部を跨ぎ左右一対で外側方向に湾曲する弧状形状の舌片状第１シール部が形成されているとともに、この舌片状第１シール部の外側位置に左右一対で矩形状の凸状第２シール部が形成され、前記舌片状第１シール部の突出量が前記凸状第２シール部の突出量よりも大きく設定されている請求項１記載のベランダ用間仕切り。
【請求項３】
前記内枠部材は、外側から外枠部材及び内枠部材を共に貫いて螺入されたビスによって固定されている請求項１、２いずれかに記載のベランダ用間仕切り。
【発明の詳細な説明】
【技術分野】
【０００１】
本発明は、集合住宅の同一階を複数戸に跨って連続的に設けられるベランダを各戸毎に仕切るためのベランダ用間仕切りに関する。
【背景技術】
【０００２】
従来より、ベランダの間仕切り５０として、図７に示されるように、両側部の縦材５１、５１と上下部の横材５２、５２とによって四周が枠組みされた枠組内部に、高さ方向の中間部に横桟５３が配置されるとともに、その上下枠にパネル５４、５４が配置されることにより、正面視略「日」の字状に形成されたものが良く知られている。かかる間仕切り壁５０は、ベランダ床面より所定の空間（50〜150mm程度）を空けた位置から、高さ約１８００〜２２００mm程度で設けられるものが一般的である（例えば、下記特許文献１，２等参照）。
【先行技術文献】
【特許文献】
【０００３】
【特許文献１】特開２００１−２７０００
【特許文献２】特開２００７−２２４６０７号公報
【発明の概要】
【発明が解決しようとする課題】
【０００４】
しかしながら、ベランダ床面との間に空間が形成されていると、飼い猫などのペットが隣家との間を往来したり、ベランダのゴミや清掃水が隣家のベランダに流れてしまうことがあり、これが住民間のトラブルとなることがあった。
【０００５】
その対策としては、間仕切りの下側空間を塞ぐために、凸状にコンクリートを構築したり、パネル状部材を設置したり起立壁を設置することが検討されるが、凸状コンクリートの設置は非常に手間が掛かる作業であり現実的ではなく、当該空間をパネル状の部材や起立壁で塞ぐ場合は、ベランダには２％程度の排水勾配が設けられているとともに、施工誤差も生じているため、空間の寸法が左右の側で大きく異なる台形形状であることと、厳密には不陸（凹凸）等の施工誤差によって各空間寸法がすべての間仕切り箇所で少しづつ異なることになり、各間仕切り毎の空間を美観良くかつ僅かの隙間も許すことなく、きっちりと封鎖することがなかなか困難な状況にあった。
【０００６】
そこで、本発明の主たる課題は、ベランダ床面の排水勾配や施工誤差に拘わらず、すべての間仕切り箇所でベランダ床面との空間を簡易な手間で隙間無く封鎖することができるベランダ用間仕切りを提供することにある。
【課題を解決するための手段】
【０００７】
上記課題を解決するために請求項１に係る本発明として、集合住宅の同一階を複数戸に跨って連続的に設けられるベランダを各戸毎に仕切るためのベランダ用間仕切りにおいて、
前記ベランダ用間仕切りは、両側部の縦材と上部横材・下部横材とによって四周が枠組みされた枠組内部にパネルが嵌め込まれた構造を成し、手摺り側と住居側壁面とで夫々支持されることにより取り付けられるとともに、前記下部横材に対してベランダ床面との空間を封鎖するための下側空間封鎖装置が設けられ、
前記下側空間封鎖装置は、前記下部横材の下面に、下側に開口を向けたコ字状断面の外枠部材が固設されるとともに、この外枠部材の内部に、下面に部材長手方向に亘ってシール材が配設された内枠部材が上下方向に移動可能かつ傾動可能な状態で収容された構造を成し、前記内枠部材が前記シール材をベランダ床面に対し接触させた状態に位置決めされ固定されていることを特徴とするベランダ用間仕切りが提供される。
【０００８】
上記請求項１記載の発明では、ベランダ用間仕切りの下部横材に対して、ベランダ床面との空間を封鎖するための下側空間封鎖装置が設けられている。この下側空間封鎖装置は、前記下部横材の下面に、下側に開口を向けたコ字状断面の外枠部材が固設されるとともに、この外枠部材の内部に、下面に部材長手方向に亘ってシール材が配設された内枠部材が上下方向に移動可能かつ傾動可能な状態、すなわち嵌合しただけの状態で収容された構造を成しているものである。従って、ベランダ用間仕切りの設置を終えたならば、前記内枠部材が落下しないように仮保持している部材を取り外し、内枠部材が前記シール材をベランダ床面に対し接触させた状態に位置決めした後、これを何らかの手段によって固定することにより、ベランダ床面の排水勾配や施工誤差に拘わらず、すべての間仕切り設置箇所でベランダ床面との空間を簡易な手間で隙間無く封鎖することが可能となる。
【０００９】
請求項２に係る本発明として、前記シール材は、背面側に内枠部材への嵌入取付け部を有し、表面側に中心部を跨ぎ左右一対で外側方向に湾曲する弧状形状の舌片状第１シール部が形成されているとともに、この舌片状第１シール部の外側位置に左右一対で矩形状の凸状第２シール部が形成され、前記舌片状第１シール部の突出量が前記凸状第２シール部の突出量よりも大きく設定されている請求項１記載のベランダ用間仕切りが提供される。
【００１０】
上記請求項２記載の発明は、前記シール材の具体的な構造例を示したものである。シール材は、背面側に内枠部材への嵌入取付け部を有することにより簡単に内枠部材に対して取付けできるようになる。また、表面側に、左右一対で外側方向に湾曲する弧状形状の舌片状第１シール部を有するとともに、この外側位置に左右一対で矩形状の凸状第２シール部を有し、かつ前記舌片状第１シール部の突出量が前記凸状第２シール部の突出量よりも大きく設定されている構造とするのが望ましい。このような構造のシール材を用いることにより、後述するように、ベランダに蒔かれた清掃水が隣家へ流れ出ない精度で間仕切りの下側空間を封鎖することが可能となる。
【００１１】
請求項３に係る本発明として、前記内枠部材は、外側から外枠部材及び内枠部材を共に貫いて螺入されたビスによって固定されている請求項１、２いずれかに記載のベランダ用間仕切りが提供される。
【００１２】
上記請求項３記載の発明は、前記内枠部材の固定方法の例を示したものである。内枠部材を位置決めした状態で、外側から外枠部材及び内枠部材を共に貫いてビスを螺入させることにより、簡単かつ確実に前記内枠部材を外枠部材に対して固定することが可能となる。
【発明の効果】
【００１３】
以上詳説のとおり本発明によれば、ベランダ床面の排水勾配や施工誤差に拘わらず、すべての間仕切り箇所でベランダ床面との空間を簡易な手間で隙間無く封鎖することが可能となる。
【図面の簡単な説明】
【００１４】
【図１】本発明に係るベランダ用間仕切り１の正面図である。
【図２】図１のII−II線矢視図（水平横断面図）である。
【図３】図１のIII部拡大図である。
【図４】図３のIV−IV線矢視図（住居側断面図）である。
【図５】図３のV−V線矢視図（手摺り側断面図）である。
【図６】シール材１０の拡大断面図である。
【図７】従来のベランダ用間仕切り５０の正面図である。
【発明を実施するための形態】
【００１５】
以下、本発明の実施の形態について図面を参照しながら詳述する。
【００１６】
ベランダ用間仕切り１は、図１に示されるように、集合住宅の同一階を複数戸に跨って連続的に設けられるとともに、ベランダ床面ＢＦ、ベランダ天井面ＢＣ及び住居側壁面ＢＷによって囲まれ、室外側に手摺り２０が立設されたベランダを各戸毎に仕切るためのものである。
【００１７】
本発明のベランダ用間仕切り１では特に、ベランダ床面の排水勾配や施工誤差に拘わらず、すべての間仕切り箇所でベランダ床面との空間を簡易な手間で隙間無く封鎖することが可能となっているものである。
【００１８】
以下、具体的に詳述する。
【００１９】
前記ベランダ用間仕切り１は、図１に示されるように、両側部の縦材２，３と、上部横材４・下部横材５とによって四周が枠組みされた枠組み内部に、高さ方向中間に横桟６が配設され、上部側枠内にパネル７Ａが嵌め込まれるとともに、下部側枠内にパネル７Ｂが嵌め込まれた構造を成しているものである。このような間仕切り構造はごく一般的なものである。前記パネル７Ａ、７Ｂは比較的簡単に破断することが可能な構造となっており、火災等の緊急時にパネル７Ｂを破って隣戸へ避難できるようになっている。
【００２０】
前記縦材２，３は、押出し成型されたアルミ形材とされ、図２に示されるように、内方側の面に部材長手方向に沿って形成された断面略コ字状のパネル嵌合溝２ａ、３ａを備えている。一方、上部横材４及び下部横材５も同じく押出し成型されたアルミ形材とされ、内方側の面に部材長手方向に沿って形成された断面略コ字状のパネル嵌合溝（図示せず）を備えており、これらパネル嵌合溝２ａ、３ａ…によって構成された四周枠内にパネル７Ａ、７Ｂが嵌合支持されている構造となっている。
【００２１】
前記ベランダ用間仕切り１は、基本的には工場製作された状態で現場に搬入され、手摺り２０の支柱２１と住居側壁面ＢＷに対して固定される。図２に示されるように、手摺り２０側においては、コ字状嵌合部１１ａとコ字状部の側面から住居側に延びるブラケット側面部１１ｂを有する第１形材１１を持ち込み、前記コ字状嵌合部１１ａを支柱２１の住居側に嵌合させてビス２２によって固定するとともに、前記第１形材１１と対面配置で組み合わされる第２形材１２によって、前記間仕切り１の縦材２を両側から挟み込むように保持した状態でこれらを貫通させたボルト１３をナット１４によって締結することによって支持されている。手摺り２０側での支持は、図１に示されるように、支柱２１の上下部の２箇所とされている。
【００２２】
一方、住居側壁面ＢＷ側においては、同図２に示されるように、断面Ｌ字状の第３形材１５を、ホールインアンカーなどの後施工アンカー１６によって固定したならば、対面側に平板状の第４形材１７を配設し、前記間仕切り１の縦材３を前記第３形材１５と第４形材１７によって両側から挟み込むよう保持した状態でこれらを貫通させたボルト１１８をナット１９によって締結することによって支持されている。住居側壁面ＢＷ側での支持は、図１に示されるように、上下部と中間の計３箇所とされている。
【００２３】
本発明のベランダ用間仕切り１では、ベランダ床面との空間を塞ぐために、前記下部横材に対してベランダ床面との空間を封鎖するための下側空間封鎖装置Ｆが設けられている。具体的に下側空間封鎖装置Ｆは、図３に示されるように、前記下部横材５の下面に対して、下側に開口を向けたコ字状断面の外枠部材８が固設されるとともに、この外枠部材８の内部に、下面に部材長手方向に亘ってシール材１０が配設された内枠部材９が上下方向に移動可能かつ傾動可能な状態で収容された構造を成し、前記内枠部材９が前記シール材１０をベランダ床面に対し接触させた状態に位置決めされ固定されているものである。
【００２４】
以下、前記下側空間封鎖装置Ｆについて図４〜図６に基づいて詳述する。
【００２５】
図４及び図５に示されるように、間仕切り１の下部横材５の下面に対して、開口を下向きとした断面略コ字状断面の外枠部材８を天板内側から下部横材５に向けて螺入させたビス２３、２３によって一体的に設ける。この外枠部材８は押出し成型の形材であり、断面形状は部材全長に亘って一定である。外枠部材８は、図４に示されるように、住居側壁面ＢＷ寄り側ではベランダ床面との空間高さＨよりも若干小さい程度の高さ寸法ｈ１を有する。また、下部横材５の幅寸ｂ法と前記外枠部材８の幅寸法ｂ１とは同じであり、外枠部材８を下部横材５に取り付けた状態では下部横材５と外枠部材８とが美観的にも一体的となっている。
【００２６】
一方、前記外枠部材８内に収容された内枠部材９は、矩形状の中空断面を成しており、上面及び下面の中央部に夫々、部材長手方向に沿ってシール材１０を取り付けるためのシール嵌合取付け溝９ａが形成されている。
【００２７】
前記内枠部材９の外幅寸法ｃ１と前記外枠部材８の内幅寸法ｃ１とはほぼ同じであり、前記内枠部材９が外枠部材８に収容された状態で上下方向に自由に移動できる程度に内枠部材９の幅寸法ｃ１がほんの僅かだけ小さく形成されている。内枠部材９の高さ寸法ｈ２は外枠部材８の高さ寸法ｈ１よりも若干小さい程度の寸法とされ、図５に示されるように、内枠部材８が下側に最も突出した位置決め状態で、外枠部材８との間に後述するビス２４の螺入のために高さ方向に重ね代を有するように構成されている。
【００２８】
前記内枠部材９の下面に設けられたシール材１０は、詳細には図６に示されるように、背面側に内枠部材８のシール嵌合取付け溝９ａへの嵌入取付け部１０ａを有し、表面側に中心部(CL)を跨ぎ左右一対で外側方向に湾曲する弧状形状の舌片状第１シール部１０ｂ、１０ｂが形成されているとともに、この舌片状第１シール部１０ｂ、１０ｂの外側位置に左右一対で矩形状の凸状第２シール部１０ｃ、１０ｃが形成され、前記舌片状第１シール部１０ｂの突出量Ｌ１が前記凸状第２シール部１０ｃの突出量Ｌ２よりも大きく設定されている構造を成しているものである。図４や図５に示されるように、前記シール材１０の表面側がベランダのコンクリート床面に接触した状態では、前記舌片状第１シール材１０ｂが高い可撓性（変形性）を有しており、前記凸状第２シール材部１０ｃの先端面がコンクリート床面に接触した状態で、内部側に位置する前記舌片状第１シール材１０ｂは、先端部分がコンクリート床面に接触し、左右一対の舌片状第１シール部１０ｂ、１０ｂが夫々拡開するように変形している。
【００２９】
前記外枠部材８及び内枠部材９は、予め工場段階で間仕切り１に取り付けられた状態で現場まで搬入される。この際、内枠部材９は外枠部材８から落下したり外れたりしないように、外枠部材８の下面を横断するように複数箇所に貼られたテープ（仮保持部材）によって保持されている。
【００３０】
そして、間仕切り１を前述した要領によって、ベランダに取り付けたならば、前記仮保持テープを外して、内枠部材９をベランダ床面側に落下（移動）させる。内枠部材９は、外枠部材８の内部という移動制限を有するものの、上下方向に移動可能かつ傾動自在であるため、図３に示されるように、下面に設けてあるシール材１０がベランダの幅方向に亘ってベランダ床面に対して接触した状態に位置決めされる。内枠部材９を所定の状態に位置決めしたならば、次に前記内枠部材９の固定を図るようにする。具体的には、図３〜図５に示されるように、外側から外枠部材８及び内枠部材９を共に貫いて螺入されたビス２４によって固定を図るようにしている。
【００３１】
前記下側空間封鎖装置Ｆによれば、ベランダ床面に排水勾配や施工誤差による小さな不陸（凹凸）があっても、一次的に、外側に位置する凸状第２シール材１０ｃがベランダ床面と接触することによりベランダ床面に水が蒔かれたとしても清掃水が前記凸状第２シール部１０ｃによって隣家側への漏出を防止することができる。また、表面に生じた小さな不陸によって前記凸状第２シール部１０ｃと床面との間に僅かに隙間が生じており前記凸状第２シール部１０ｃを越える漏水があったとしても、内側に位置する前記舌片状第１シール１０ｂが不陸に沿って変形しきっちりと接触しているため、清掃水がこれ以上隣家側へ流れ出すのを確実に防止することが可能となる。
【００３２】
以上のように、本発明の下側空間封鎖装置Ｆによれば、ベランダ床面の排水勾配や施工誤差に拘わらず、すべての間仕切り設置箇所でベランダ床面との空間を簡易な手間で隙間無く封鎖することが可能となる。
【００３３】
〔他の形態例〕
(1)上記形態例において、前記内枠部材９の固定は、外側から外枠部材８及び内枠部材９を共に貫いて螺入されたビス２４によって行うようにしたが、外側面において、外枠部材８と内枠部材９とに跨るように配設した連結部材（添接板）の設置によって前記内枠部材９を固定するようにしてもよい。
【００３４】
(2)上記形態例では、内枠部材９の仮保持手段として、外枠部材８の下面を横断するように複数箇所に貼られたテープを用いたが、外枠部材８の外面の下側寄りにビス２４の位置決めのために、部材長手方向に沿ってＶカット状の切欠きが形成されている。そこで、上方向に開口を向けた断面コ字状部材を持ち込み、両側のフランジ先端に形成した爪を前記Ｖカット状の切欠きに掛止させることによって内枠部材９を外枠部材８から脱落しないように仮保持するようにしてもよい。
【符号の説明】
【００３５】
１…ベランダ用間仕切り、２・３…縦材、４…上部横材、５…下部横材、６…横桟、７Ａ・７Ｂ…パネル、８…外枠部材、９…内枠部材、１０…シール材、２０…手摺り、２１…支柱、Ｆ…下側空間封鎖装置
【図１】
2019190059.tif 000003
【図２】
2019190059.tif 000004
【図３】
2019190059.tif 000005
【図４】
2019190059.tif 000006
【図５】
2019190059.tif 000007
【図６】
2019190059.tif 000008
【図７】
2019190059.tif 000009